(57)【要約】【課題】移動機の能力を外部装置に通知することによって、外部装置での制御を可能とする。【解決手段】移動機本体１は、移動機本体１の通信能力に関する移動機情報を記憶装置１１へ記憶し、無線通信とのインタフェースをつかさどる機能を有する外部ＴＡＦ３を接続し、外部ＴＡＦ３が接続された場合に、記憶装置１１に記憶された移動機情報を読み出し、読み出した無線機情報を外部ＴＡＦ３へ送信し、外部ＴＡＦ３は、移動機本体１から送信された移動機情報を記憶装置３１へ記憶し、記憶した移動機情報を用いて、発呼する。【選択図】        図１
2004297646.tif 000002
【特許請求の範囲】
【請求項１】
発呼処理を指示するターミナル・アダプタを接続する無線機において、
上記ターミナル・アダプタを接続する接続インタフェースと、
無線機の通信能力に関する無線機情報を記憶する記憶部と、
上記ターミナル・アダプタが上記接続インタフェースへ接続された場合に、上記記憶部に記憶された上記無線機情報を上記ターミナル・アダプタへ送信する通信部と
を有することを特徴とする無線機。
【請求項２】
上記無線機は、さらに、上記ターミナル・アダプタが上記接続インタフェースへ装着されたことを検出し、上記ターミナル・アダプタが接続可能であるかを判定し、接続可能である場合に、上記通信部へ上記無線機情報を通知することを指示する管理部を備えることを特徴とする請求項１記載の無線機。
【請求項３】
上記通信部は、所定時間毎に上記ターミナル・アダプタが接続されている／いないに関わらず上記無線機情報を報知することを特徴とする請求項１記載の無線機。
【請求項４】
上記通信部は、上記ターミナル・アダプタから無線機情報の通知要求を受信し、上記通知要求を受信した場合に、上記無線機情報を送信することを特徴とする請求項１記載の無線機。
【請求項５】
上記無線機は、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）  ＭＴ−ＴＡ  Ｉｎｔｅｒｆａｃｅ  ｄｅｓｃｒｉｐｔｉｏｎで規定される通信プトロコルを使用する移動可能な無線機であり、上記ターミナル・アダプタは、無線機に接続するターミナル・アダプテイション・ファンクション（ＴＡＦ：Ｔｅｒｍｉｎａｌ  Ａｄａｐｔａｔｉｏｎ  Ｆｕｎｃｔｉｏｎ）の手段を有することを特徴とする請求項１から４のいずれかに記載の無線機。
【請求項６】
無線機に接続し、発呼の要求を受け付け、発呼処理を上記無線機へ指示するターミナル・アダプタにおいて、
上記無線機から受信する通信能力に関する無線機情報を記憶する記憶装置を備え、上記記憶装置に記憶した無線機情報を用いて発呼する発呼処理を上記無線機に指示することを特徴とするターミナル・アダプタ。
【請求項７】
発呼処理は、利用者が設定した通信能力に関する設定値が入力されたとき、入力した設定値と上記無線機情報とを比較し、この比較結果に従っていずれか一方を用いて発呼することを特徴とするターミナル・アダプタ。
【請求項８】
無線機の通信能力に関する無線機情報を記憶部へ記憶する無線機が無線機情報を通知する無線機情報通知方法において、
発呼処理を指示するターミナル・アダプタを接続し、
上記ターミナル・アダプタが接続された場合に、上記記憶部に記憶された上記無線機情報を読み出し、
読み出した無線機情報を上記ターミナル・アダプタへ送信し、上記無線機情報に基づいた発呼処理の指示を通知することを特徴とする無線機情報通知方法。
【請求項９】
発呼の要求を受け付け、発呼処理を指示するターミナル・アダプタと、上記ターミナル・アダプタを接続する無線機本体とを備える無線機において、
上記無線機本体は、
上記ターミナル・アダプタを接続する接続インタフェースと、
無線機の通信能力に関する無線機情報を記憶する記憶部と、
上記ターミナル・アダプタが上記接続インタフェースへ接続された場合に、上記記憶部に記憶された上記無線機情報を上記ターミナル・アダプタへ送信する通信部とを備え、
上記ターミナル・アダプタは、上記無線機情報を記憶する記憶装置を備え、上記無線機本体の通信部が送信した無線機情報を受信し、受信した無線機情報を上記記憶装置に記憶し、上記記憶装置に記憶した無線機情報を用いて発呼する発呼処理を上記無線機本体に指示することを特徴とする無線機。
【発明の詳細な説明】
【０００１】
【発明の属する技術分野】
この発明は、外部装置として、ターミナル・アダプタを接続する無線機（移動機）に関する。
【０００２】
【従来の技術】
データ通信システムの一例として、特開平１１−３０８２９３に次のような技術が開示されている。送信端末と受信端末との間での処理能力が異なるときに予め受信端末は送信端末に受信能力を設定することによって送信端末が受信端末にデータを送信したとしても受信メモリがバッファフルすることはない。また、受信処理能力は受信データメモリ領域およびその受信データメモリ領域に格納されている受信データを受信データメモリ領域以外のメモリに転送するＣＰＵの処理能力によって決定される（特許文献１、要約）。
【０００３】
また、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）  ＭＴ−ＴＡ  Ｉｎｔｅｒｆａｃｅｄｅｓｃｒｉｐｔｉｏｎ  （ＡＲＩＢ  ＴＲ−Ｔ１２．２７．Ａ０２）には、通信のプロトコルが規定されている（非特許文献１）。
【０００４】
【特許文献１】
特開平１１−３０８２９３号公報
【特許文献２】
特開平１１−３３１９４３号公報
【非特許文献１】
社団法人  電波産業会、ＩＭＴ−２０００  ＤＳ−ＣＤＭＡ  Ｓｙｓｔｅｍ  ＡＲＩＢ  Ｔｅｃｈｎｉｃａｌ  Ｒｅｐｏｒｔ  ＭＴ−ＴＡ  Ｉｎｔｅｒｆａｃｅ  ｄｅｓｃｒｉｐｔｉｏｎ  （ＡＲＩＢ  ＴＲ−Ｔ１２．２７．Ａ０２．Ｖ３．４．０）、［ｏｎｌｉｎｅ］、［２００２年３月２６日検索］、インターネット
〈ＵＲＬ：ｈｔｔｐ：／／ｗｗｗ．ａｒｉｂ．ｏｒ．ｊｐ／ＩＭＴ−２０００／Ｖ３１０Ｓｅｐ０２／Ｔ１２／０＿Ｔ１２ｃｏｖｅｒＶ３１０．ｈｔｍｌ〉の２７−ｓｅｒｉｅｓ（Ｄａｔａ）の２７．Ａ０２．３．４．０  ＭＡ−ＴＡ  ｉｎｔｅｒｆａｃｅ  ｄｅｓｃｒｉｐｔｉｏｎ）
【０００５】
【発明が解決しようとする課題】
従来、ＡＲＩＢ  ＭＴ−ＴＡ  Ｉｎｔｅｒｆａｃｅ  ｄｅｓｃｒｉｐｔｉｏｎ（ＡＲＩＢ  ＴＲ−Ｔ１２．２７．Ａ０２）では、外部Ｆｕｎｃｔｉｏｎは移動機本体の通信能力を知らなかったため、発呼時のプロトコル不整合の解消すること、通信能力を超えるデータを送信する場合に抑制できないことを解決する手段はなかった。
【０００６】
そのため、次のような問題が発生する。
例えば、移動機本体に外部ＴＡＦ（Ｔｅｒｍｉｎａｌ  ＡｄａｐｔａｔｉｏｎＦｕｎｃｔｉｏｎ）（移動体本体とは別の外部装置）が接続された場合、移動機本体と外部ＴＡＦとで接続手順のプロトコル処理が行われる。外部ＴＡＦは移動機本体に接続登録要求を行う。移動機本体は接続を認めた場合は接続ＯＫであることを外部ＴＡＦに通知する。以上で外部ＴＡＦの接続処理は完了する。そのため外部ＴＡＦは移動機本体情報（移動機最大通信能力）を知らないまま接続され使用可能となる。よって、パケット発呼時には外部ＴＡＦは自己の記憶装置に記録したｄｅｆａｕｌｔデータで移動機本体に発呼要求を行ってしまう。
【０００７】
ＡＲＩＢ  ＭＴ−ＴＡ  Ｉｎｔｅｒｆａｃｅ  ｄｅｓｃｒｉｐｔｉｏｎ  （ＡＲＩＢ  ＴＲ−Ｔ１２．２７．Ａ０２）において移動機外部のＴＡＦは移動機本体の情報（最大通信能力）を知らず、現状のＡＲＩＢ  ＴＲ−Ｔ１２．２７．Ａ０２には伝える手段がないことが問題である。そのためパケット発呼時にＡＲＩＢ  ＭＴ−ＴＡ  Ｉｎｔｅｒｆａｃｅ  ｄｅｓｃｒｉｐｔｉｏｎ  （ＡＲＩＢ  ＴＲ−Ｔ１２．２７．Ａ０２）規定のＰＣＰプロトコルｓｍｒｅｇ−ｐｄｐ−ａｃｔｉｖａｔｅ−ｒｅｑメッセージにて移動機本体に発呼要求を行うが、このメッセージに含まれるパラメータ（Ｍａｘｉｍｕｍ  ｂｉｔｒａｔｅ  ｆｏｒ  ｕｐｌｉｎｋ  ・Ｍａｘｉｍｕｍ  ｂｉｔｒａｔｅ  ｆｏｒ  ｄｏｗｎｌｉｎｋ）の設定を外部ＴＡＦには通知していないため正確な情報を知らずに発呼要求ｓｍｒｅｇ−ｐｄｐ−ａｃｔｉｖａｔｅ−ｒｅｑ（上記パラメータはｄｅｆａｕｌｔ値）をＭＥ（移動機本体）に送信してくる。今後、Ｍａｘｉｍｕｍ  ｂｉｔｒａｔｅ  ｆｏｒ  ｕｐｌｉｎｋ・Ｍａｘｉｍｕｍ  ｂｉｔｒａｔｅ  ｆｏｒ  ｄｏｗｎｌｉｎｋが拡張され能力の違う移動機が出てきた場合に、能力以下の要求をしてしまう・能力以上の要求をしてしまう問題がある。また、移動機通信最大能力を知らないため、能力以上の送信データを移動機本体に送信し、移動機本体が過負荷状態となり効率が悪くなる問題がある。
【０００８】
そこで、この発明は、移動機の能力を外部装置に通知することによって、外部装置での制御を可能とすることを目的とする。
また、外部装置において、発呼時の移動機の最大能力を適切な値で発呼することを目的とする。
【０００９】
【課題を解決するための手段】
この発明に係る無線機は、発呼処理を指示するターミナル・アダプタを接続する無線機において、
上記ターミナル・アダプタを接続する接続インタフェースと、
無線機の通信能力に関する無線機情報を記憶する記憶部と、
上記ターミナル・アダプタが上記接続インタフェースへ接続された場合に、上記記憶部に記憶された上記無線機情報を上記ターミナル・アダプタへ送信する通信部と
を有することを特徴とする。
【００１０】
【発明の実施の形態】
実施の形態１．
まず、本発明の全体構成について図１により説明する。
図１は、実施の形態１の通信システムの構成の一例を示した図である。
図１は、移動機本体１、外部ＴＡＦ３、ＴＥ（Ｔｅｒｍｉｎａｌ  Ｅｑｕｉｐｍｅｎｔ，端末）５、基地局６とから構成される通信システムを示しており、移動機本体１は、記憶装置１１を有し、外部ＴＡＦ３は、記憶装置３１を有する。
移動機本体１は、無線ネットワークによる通信を実施する機器である。
ＴＡＦ（Ｔｅｒｍｉｎａｌ  Ａｄａｐｔａｔｉｏｎ  Ｆｕｎｃｔｉｏｎ）は、ＴＥと無線ネットワークの基地局との間で通信するためのアダプテーションをつかさどる部位であり、移動機本体１へ発呼処理の開始を指示する。例えば、各通信（音声・パケット・ＡＶ  ｅｔｃ．）をその上位に接続されているＴＥとＭＴＦ（後述する）経由でＮＷ（Ｎｅｔｗｏｒｋ）との間で通信するためのアダプテーションをつかさどる部位である。ＴＡＦは、ＴＡ（Ｔｅｒｍｉｎａｌ  Ａｄａｐｔｅｒ）と同様である。
外部ＴＡＦ３は、移動機本体１へ外部から接続することが可能なＴＡＦである。また、外部ＴＡＦ３は、移動機本体１へ外部から接続するターミナル・アダプタであるともいえる。
ＴＥ５は、実際にユーザーインタフェースをつかさどる部位である。キー、キーボード等の入出力機器、あるいは、パーソナルコンピュータのような端末である場合がある。
基地局（ＢＳＳ：ＢＡＳＥ  Ｓｔａｔｉｏｎ  Ｓｙｓｔｅｍ）６は、無線ネットワークの基地局である。
なお、以下、この明細書の説明において、「移動機本体１」と記した場合は、原則として、外部ＴＡＦ３等を含まない、移動機本体部分を示す。
【００１１】
移動機本体１は、ＡＲＩＢ  ＭＴ−ＴＡ  Ｉｎｔｅｒｆａｃｅ  ｄｅｓｃｒｉｐｔｉｏｎ  （ＡＲＩＢ  ＴＲ−Ｔ１２．２７．Ａ０２）を有している。
移動機本体１に外部ＴＡＦ３が接続された場合、移動機本体１と外部ＴＡＦ３とで接続手順のプロトコル処理が行われる。外部ＴＡＦ３は移動機本体１に接続登録要求を行う。移動機本体１は接続を認めた場合は接続ＯＫであることを外部ＴＡＦ３に通知する。その際に移動機本体１は記憶装置１１にもっている移動機本体１の情報（移動機最大通信能力：Ｍａｘｉｍｕｍ  ｂｉｔｒａｔｅ  ｆｏｒｕｐｌｉｎｋ・Ｍａｘｉｍｕｍ  ｂｉｔｒａｔｅ  ｆｏｒ  ｄｏｗｎｌｉｎｋ）を外部ＴＡＦ３に通知する。移動機本体１の情報（移動機最大通信能力Ｍａｘｉｍｕｍ  ｂｉｔｒａｔｅ  ｆｏｒ  ｕｐｌｉｎｋ  ・Ｍａｘｉｍｕｍ  ｂｉｔｒａｔｅ  ｆｏｒ  ｄｏｗｎｌｉｎｋ）の通知を受けた外部ＴＡＦ３は記憶装置３１に記憶を行う。
本手順により外部ＴＡＦ３は移動機本体１の情報（移動機最大通信能力：Ｍａｘｉｍｕｍ  ｂｉｔｒａｔｅ  ｆｏｒ  ｕｐｌｉｎｋ・Ｍａｘｉｍｕｍ  ｂｉｔｒａｔｅ  ｆｏｒ  ｄｏｗｎｌｉｎｋ）を知ることができる。
パケット発呼時にはＴＥ５より発呼の通知が外部ＴＡＦ３に行われる。外部ＴＡＦ３は記憶装置３１に記憶している移動機本体１の情報（移動機最大通信能力Ｍａｘｉｍｕｍ  ｂｉｔｒａｔｅ  ｆｏｒ  ｕｐｌｉｎｋ・Ｍａｘｉｍｕｍ  ｂｉｔｒａｔｅ  ｆｏｒ  ｄｏｗｎｌｉｎｋ）にて移動機本体１に発呼通知を行う。移動機本体１は外部ＴＡＦ３からの通知をもとに無線回線にて基地局（Ｎｅｔｗｏｒｋ）６と通信を行う。
【００１２】
図２は、移動機本体１の構成の一例を示した図である。
移動機本体１は、記憶装置１１、制御部１２、接続処理部１３、ＴＭＦ１４、ＭＴＦ１５、接続インタフェース１６とを含む。
記憶装置１１は、移動機本体１本体の情報（「移動機情報」ともいう）、及び、その他の情報を記憶する記憶領域である。
移動機本体１本体の情報は、少なくとも、移動機最大通信能力を含む。
制御部１２は、移動機本体１が実施する処理を制御する。
ＴＭＦ（Ｔｅｒｍｉｎａｌ  ｍａｎａｇｅｍｅｎｔ  ｆｕｎｃｔｉｏｎ）１５は、移動機本体１の各種管理を行なう部位である。例えば、各Ｆｕｎｃｔｉｏｎ（機能）のアドレスの管理、外部Ｆｕｎｃｔｉｏｎのアドレス割り当て、Ｆｕｎｃｔｉｏｎの接続管理を行う部位である。ＴＭＦ１４は、内部に管理するアドレスを記憶する記憶領域（アドレス記憶部）を有する。ＴＭＦ１４は、管理部ともいう。
【００１３】
ＭＴＦ（Ｍｏｂｉｌｅ  Ｔｅｒｍｉｎａｔｉｏｎ  Ｆｕｎｃｔｉｏｎ）１５は、通信をつかさどる部位である。例えば、無線プロトコル（Ｌ１〜Ｌ３）を終端するとともにＴＡＦ、及びその他のＦｕｎｃｔｉｏｎ（ＵＩＭＦ，ＤＣＦ  ｅｔｃ．）との間の通信をつかさどる部位である。また、移動機情報を外部ＴＡＦ３へ通知する。ＭＴＦ１５は、通信部ともいう。
接続インタフェース１６は、外部ＴＡＦ３を接続するＡＲＩＢ  ＴＲ−Ｔ１２．２７．Ａ０２記載のインタフェースである。
上記の構成は一例であり、ＭＴＦ１５とは別個に、移動機情報を通知する情報通知部を備える構成であってもよい。また、移動機本体内のＴＭＦから移動機情報を通知する構成であってもよい。
記憶装置１１は、記憶部ともいう。
なお、制御部１２は、プロセッサを備え、移動機本体１全体の制御を実施する。
【００１４】
次に動作について説明する。
外部ＴＡＦ接続時の移動機情報（移動機最大通信能力）の通知処理について説明する。
図３は、外部ＴＡＦ接続時の移動機情報（移動機最大通信能力）の通知処理の動作を示すフローチャート図である。
外部ＴＡＦを移動機本体１に接続（Ｓ１）する。
移動機本体１のＴＭＦ１４は外部ＴＡＦ接続処理を行う（Ｓ２）。
移動機本体１のＴＭＦ１４は、接続された外部ＴＡＦが接続可能かの接続判定処理（Ｓ３）を行う。接続判定処理については、後述する。
その結果、（接続可能である場合）接続判定（Ｓ３：ＹＥＳ）と判定した場合は、ＴＭＦ１４は、接続ＯＫの通知処理（Ｓ４）を外部ＴＡＦ３へ行う。
Ｓ４処理後、ＭＴＦ１５は、外部ＴＡＦ３に移動機情報（移動機通信最大能力Ｍａｘｉｍｕｍ  ｂｉｔｒａｔｅ  ｆｏｒ  ｕｐｌｉｎｋ・Ｍａｘｉｍｕｍ  ｂｉｔｒａｔｅ  ｆｏｒ  ｄｏｗｎｌｉｎｋ）の通知処理（Ｓ５）を行う。
外部ＴＡＦ３は、制御部１２の制御によって、受信した移動機情報（移動機最大通信能力Ｍａｘｉｍｕｍ  ｂｉｔｒａｔｅ  ｆｏｒ  ｕｐｌｉｎｋ・Ｍａｘｉｍｕｍ  ｂｉｔｒａｔｅ  ｆｏｒ  ｄｏｗｎｌｉｎｋ）を記憶装置３１に記憶する（Ｓ６）。このようにして、接続処理を終了する。
一方、（接続不可能と判定した場合）接続判定（Ｓ３：ＮＯ）と判定した場合は、ＴＭＦ１４は、接続ＮＧ通知処理（Ｓ７）を外部ＴＡＦ３へ行い、接続処理を終了する。
【００１５】
ここで、接続判定処理の詳細を図４を用いて説明する。
図４は、接続判定処理の手順を表すシーケンス図である。
外部ＴＡＦ３が移動機本体１に接続された場合、外部ＴＡＦ３は、移動機本体１内にあるＴＭＦ１４に対してアドレス割り当て要求（ａｄｄｒｅｓｓ  ａｓｓｉｇｎｍｅｎｔ  ｒｅｑｕｅｓｔ）を送信する。
ＴＭＦ１４は、外部ＴＡＦ３に対してアドレス割り当て応答（ａｄｄｒｅｓｓａｓｓｉｇｎｍｅｎｔ  ｒｅｓｐｏｎｓｅ）を外部ＴＡＦに送信する。
アドレスの割り当てがされた外部ＴＡＦは、接続要求（ＣｏｎｎｅｃｔｉｏｎＮｏｔｉｆｉｃａｔｉｏｎ）をＴＭＦに送信する。
ＴＭＦ１４は、で接続判定を行い、接続を許容する場合、接続された外部ＴＡＦを含む接続情報通知（Ｃｏｎｎｅｃｔｉｏｎ  ｉｎｆｏｒｍａｔｉｏｎ）を送信する。Ｃｏｎｎｅｃｔｉｏｎ  Ｉｎｆｏｒｍａｔｉｏｎに外部ＴＡＦ３が含まれていた場合に、移動機本体１内にあるＭＴＦ１５より移動機情報の通知をする。
外部ＴＡＦ３は、移動機情報を受信し、受信した移動機情報を、記憶装置３１へ記憶する。
【００１６】
図３及び図４に記載の手順によって、外部ＴＡＦ３が移動機本体１の情報（移動機通信最大能力）を正確に得ることになる。この手順により外部ＴＡＦ３は、正確な情報で発呼可能となる。また、最大の通信能力を知っているため、移動機本体１の通信能力を大幅に越えたデータの送信を抑制することが可能となる。
【００１７】
実施の形態２．
実施の形態１では、図３、図４の動作は、外部ＴＡＦ３が移動機本体１に接続されたときに移動機本体１より外部ＴＡＦ３に移動機情報を通知する例を説明したが、これに限られることはない。以下に説明する動作によって移動機情報を通知する場合であってもよい。
【００１８】
例えば、移動機本体１より、定期的に移動機情報を外部すべてのＦｕｎｃｔｉｏｎ（ＴＡＦ，ＤＣＦ，ＵＩＭＦ，ｅｔｃ）にｂｒｏａｄｃａｓｔで報知してもよい。
図５は、定期的に移動機情報をｂｒｏａｄｃａｓｔで報知する場合のシーケンス図の一例である。
移動機本体１内にあるＭＴＦ１５は外部ＴＡＦ３の接続状況に関係なく（例えば、接続の有無に関係なく）、所定の時間毎、好ましくは、定期的に移動機情報の通知を行う。本通知を定期的に行うことで、外部ＴＡＦ３が接続された場合に、受信した移動機情報を入手可能であり、本情報を記憶する。
【００１９】
また、外部ＴＡＦ３より移動機本体１へ移動機能力の通知要求を送信し、本要求を受信した移動機本体１は要求元（外部ＴＡＦ３）へ移動機情報を通知する方法をとってもよい。また、本記載では、外部ＴＡＦとしたが、その他のＦｕｎｃｔｉｏｎ、例えば、内部のＴＡＦが使用してもよい。
図６は、外部ＴＡＦ３より移動機本体１へ移動機能力の通知要求に基づいて移動機情報を外部ＴＡＦ３へ通知する場合のシーケンス図の一例である。
外部ＴＡＦ３が接続された場合、外部ＴＡＦ３は、移動機本体１内にあるＴＭＦ１４に対してアドレス割り当て要求（ａｄｄｒｅｓｓ  ａｓｓｉｇｎｍｅｎｔｒｅｑｕｅｓｔ）を送信する。
ＴＭＦ１４は外部ＴＡＦ３に対してアドレス割り当て応答（ａｄｄｒｅｓｓ  ａｓｓｉｇｎｍｅｎｔ  ｒｅｓｐｏｎｓｅ）を外部ＴＡＦ３に送信する。
アドレスの割り当てがされた外部ＴＡＦ３は接続要求（ＣｏｎｎｅｃｔｉｏｎＮｏｔｉｆｉｃａｔｉｏｎ）をＴＭＦ１４に送信し、ＴＭＦ１４は接続判定を行い、接続を許容する場合、接続された外部ＴＡＦを含む接続情報通知（Ｃｏｎｎｅｃｔｉｏｎ  ｉｎｆｏｒｍａｔｉｏｎ）を送信する。
ここまでは図４のシーケンスと同じである。
移動機情報を必要とする場合、外部ＴＡＦは移動機本体１内のＭＴＦ１５へ移動機情報要求を送信する。
要求を受信した、ＭＴＦ１５は移動機情報通知を行う。
外部ＴＡＦ３は、受信した移動機情報を記憶装置３１へ記憶する。
【００２０】
このように、実施の形態１の手順に限られることなく、実施の形態２で示した手順、あるいは、その他の手順によって、外部ＴＡＦ３へ移動機情報を通知することが可能である。移動機情報を通知することによって、外部ＴＡＦ３が正確な移動機情報を取得し、外部ＴＡＦ３が正確な情報を用いて発呼することが可能となる。従って、移動機の通信能力を大幅に超えたデータの送信を抑制することが可能となる。
【００２１】
実施の形態３．
この実施の形態では、外部ＴＡＦ３が発呼する場合について説明する。
図７は、外部ＴＡＦ３が発呼する動作を示したフローチャート図の一例である。
実施の形態３は、図１で示した通信システムの構成、及び、図２で示した移動機本体１を一例として用いて説明する。このため、構成に関する説明を省略する。
また、外部ＴＡＦ３が移動機情報を記憶装置３１へ記憶するまでの動作は、実施の形態１及び実施の形態２で説明した動作と同様のため説明を省略する。以下の説明では、外部ＴＡＦ３の記憶装置３１は、移動機本体１から受信した移動機情報（移動機最大通信能力）を記憶していることを前提として説明する。
【００２２】
パケット発信を行った場合、図１のＴＥ５より外部ＴＡＦ３へ発呼処理（ＳＴ１）を行う。
外部ＴＡＦ３は、記憶装置３１に記憶されている、移動機本体１の移動機最大通信能力（Ｍａｘｉｍｕｍ  ｂｉｔｒａｔｅ  ｆｏｒ  ｕｐｌｉｎｋ・Ｍａｘｉｍｕｍ  ｂｉｔｒａｔｅ  ｆｏｒ  ｄｏｗｎｌｉｎｋ）で発呼要求処理（ＳＴ２）を行う。
ここで、外部ＴＡＦ３からの発呼要求に含まれる移動機通信最大能力は、移動機本体１から送信された情報に基づいているため、正確な情報を通知可能である。
移動機本体１は基地局（ＮＷ（Ｎｅｔｗｏｒｋ））６と無線接続処理（ＳＴ３）を行い、無線通信が可能となる。無線接続が行われたことにより、データ送信が可能となり、ＴＥ５・外部ＴＡＦ３はパケットデータを移動機本体１内部へ送信し移動機本体１は無線上にデータ送信開始処理（ＳＴ４）が行われる。
【００２３】
ここで外部ＴＡＦ３・ＴＥ５は移動機本体１の移動機最大通信能力と送信するデータ量の比較を行いデータ量が移動機最大通信能力に対して過負荷であるか判定する（ＳＴ５）。
その結果、過負荷（ＳＴ５：ＹＥＳ）と判定した場合は、移動機最大通信能力に見合ったデータ量のみを送信バッファに書き込み（ＳＴ６）、送信バッファの空き状態を確認し（ＳＴ７）、ＳＴ５判定処理に戻る。送信バッファの空き待ち状態となり、空きが確認されるまで、ＳＴ５〜ＳＴ７の処理を繰り返す。
一方、過負荷でない（ＳＴ５：ＮＯ）と判定した場合は、すべての送信データを送信バッファに書き込み（ＳＴ８）、送信完了処理（ＳＴ９）を行う。
【００２４】
次に、発呼時のシーケンスについて説明する。
図８は、発呼時のシーケンス図の一例である。
ＴＥ５より外部ＴＡＦ３へ発呼要求（発呼処理）が行なわれる。
外部ＴＡＦ３より発呼を行う場合は記憶している移動機情報の移動機最大通信能力（Ｍａｘｉｍｕｍ  ｂｉｔｒａｔｅ  ｆｏｒ  ｕｐｌｉｎｋ・Ｍａｘｉｍｕｍ  ｂｉｔｒａｔｅ  ｆｏｒ  ｄｏｗｎｌｉｎｋ）で発呼要求（ｓｍｒｅｇ−ｐｄｐ−ａｃｔｉｖａｔｅ−ｒｅｑ）を移動機本体１内にあるＭＴＦ１５に送信する。
移動機本体１内のＭＴＦ１５は本情報に基づき無線ネットワーク（基地局６）との接続を行う。
接続が完了した場合は、発呼応答（ｓｍｒｅｇ−ｐｄｐ−ａｃｔｉｖａｔｅ−ｃｎｆ）を外部ＴＡＦ３に送信する。
【００２５】
このように、外部ＴＡＦ３は、移動体機情報（移動機最大通信能力）を記憶しているため、移動機本体１の移動機最大通信能力を用いて、発呼することが可能となる。従って、外部機器が移動機最大通信能力を知らないため発呼時にＤＥＦＡＵＬＴ値を通知してしまうことがなく、正確な情報で通信を行うことができる。また、移動機最大通信能力を知っているため、能力以上の送信データを移動機本体１に送信し、移動機本体１が過負荷状態となり効率が悪くなる問題を解決できる。
【００２６】
実施の形態４．
実施の形態４では、ユーザがＴＥ５を介して、通信能力を入力する場合を説明する。
実施の形態４においても、図１で示した通信システムの構成、及び、図２で示した移動機本体１を一例として用いて説明する。
ＴＥ５は、ユーザから通信能力の入力を受け付ける。受けつけた通信能力（以下、「設定された通信能力」、あるいは、「設定値」という）は、発呼要求の際に、外部ＴＡＦ３へ通知される。
外部ＴＡＦ３は、記憶装置３１に記憶している移動機情報の移動機最大通信能力（Ｍａｘｉｍｕｍ  ｂｉｔｒａｔｅ  ｆｏｒ  ｕｐｌｉｎｋ・Ｍａｘｉｍｕｍｂｉｔｒａｔｅ  ｆｏｒ  ｄｏｗｎｌｉｎｋ）とユーザにより設定された通信能力の比較を行う。
記憶している最大通信能力≧設定値であった場合は外部ＴＡＦ３より移動機本体１内のＭＴＦ１５へ発呼要求（ｓｍｒｅｇ−ｐｄｐ−ａｃｔｉｖａｔｅ−ｒｅｑ）のパラメータには設定値を入れ送信することを可能とする。
記憶している最大通信能力＜設定値であった場合には外部ＴＡＦより移動機本体１内のＭＴＦ１５へ発呼要求（ｓｍｒｅｇ−ｐｄｐ−ａｃｔｉｖａｔｅ−ｒｅｑ）のパラメータには記憶している最大通信能力で送信することを可能とする。
外部ＴＡＦ３は、上記のように最大通信能力と設定値とを比較する比較部（比較器）を備えてもよい。
【００２７】
このように外部ＴＡＦ３において、二つの値（最大通信能力、設定値）を比較する機能を備えることにより、ユーザが希望する通信能力を用いて通信を実施することが可能となる。
【００２８】
実施の形態５．
上記実施の形態１から実施の形態４では、移動機本体１を用いて説明したが、移動機に限られることはない。固定機であっても、ＡＲＩＢ  ＭＴ−ＴＡ  Ｉｎｔｅｒｆａｃｅ  ｄｅｓｃｒｉｐｔｉｏｎ  （ＡＲＩＢ  ＴＲ−Ｔ１２．２７．Ａ０２）を用いて無線通信を実施し、外部ＴＡＦを接続可能な機器であれば、適用可能である。従って、上記実施の形態で説明した移動機本体１は、無線端末本体、あるいは、無線機本体（無線端末、無線機）ということも可能である。
また、移動機の一例としては、携帯端末、携帯電話があげられる。
さらに、移動機情報は、無線機情報、あるいは、無線端末情報ということができる。
【００２９】
【発明の効果】
この発明によれば、パケット発呼プロトコルにて外部機器より移動機本体１へ移動機最大通信能力を正確な情報で通知することができる。
【図面の簡単な説明】
【図１】実施の形態１の通信システムの構成の一例を示した図。
【図２】移動機本体１の構成の一例を示した図。
【図３】外部ＴＡＦ接続時の移動機情報（移動機最大通信能力）の通知処理の動作を示すフローチャート図。
【図４】接続判定処理の手順を表すシーケンス図。
【図５】定期的に移動機情報を外部ＴＡＦ３へ通知する場合のシーケンス図。
【図６】外部ＴＡＦ３より移動機本体１へ移動機能力の通知要求に基づいて移動機情報を外部ＴＡＦ３へ通知する場合のシーケンス図。
【図７】外部ＴＡＦ３が発呼する動作を示したフローチャート図。
【図８】発呼時のシーケンス図。
【符号の説明】
１  移動機本体、３  外部ＴＡＦ、５  ＴＥ、６  基地局、１１  記憶装置、１２  制御部、１４  ＴＭＦ、１５  ＭＴＦ、１６  接続インタフェース、３１
記憶装置。
【図１】
2004297646.tif 000003
【図２】
2004297646.tif 000004
【図３】
2004297646.tif 000005
【図４】
2004297646.tif 000006
【図５】
2004297646.tif 000007
【図６】
2004297646.tif 000008
【図７】
2004297646.tif 000009
【図８】
2004297646.tif 000010